(57)【要約】  本発明はオーディオシステムの音質を向上させる方法と装置構成とに関する。本発明による方法と装置構成とによれば、オーディオ信号を送信する電流を使用して、アンプとスピーカとの間に位置する信号導体の一部にある構成要素内で強い磁場を生成し、この磁場によって可聴音の品質を向上させる。
2005510101.tif 000002
【特許請求の範囲】
【請求項１】
可聴オーディオ信号の質を向上させる方法であって、この方法においてオーディオ信号は金属導体内の電子の動きによってオーディオアンプからスピーカに送信され、
前記信号が前記スピーカに伝えられる前に、前記オーディオ信号は強磁性材で作成された中間構成要素又はコイルに伝えられ、前記中間構成要素では前記オーディオ信号は磁場を生成し、前記オーディオ信号の質を向上させることを特徴とする方法。
【請求項２】
オーディオアンプとスピーカとの間に接続されるように構成される、オーディオ信号の音声再生を向上させる装置であって、
前記オーディオ信号の質を向上させるために、前記オーディオ信号に従って磁場を生成する手段を備えることを特徴とする装置。
【請求項３】
前記磁場を生成する手段はコイルを備え、前記オーディオ信号に従って変わる磁場を生成するために、前記オーディオ信号は前記コイルを介して移動するように構成されることを特徴とする請求項２に記載の装置。
【請求項４】
前記磁場を生成する手段は前記装置構成の全体のインダクタンスを所望のレベルに調節する第二のコイルをも備えることを特徴とする請求項３に記載の装置。
【請求項５】
前記第二のコイルの巻線の方向は、前記第一のコイルの巻線の方向とは反対であることを特徴とする請求項４に記載の装置。
【請求項６】
前記第一のコイルと前記第二のコイルとの巻線の比は、１：１から１：３の大きさであることを特徴とする請求項４に記載の装置。
【請求項７】
前記第一のコイルと前記第二のコイルとは同じコイル芯の周りに巻かれていることを特徴とする請求項４に記載の装置。
【請求項８】
前記磁場を生成する手段は、強磁性金属で作成された中間構成要素を備え、前記オーディオ信号に従って変わる磁場を生成するために、前記オーディオ信号は前記中間構成要素を介して移動するように構成されることを特徴とする請求項２に記載の装置。
【請求項９】
前記強磁性金属で作成された中間構成要素は、強磁性金属導体が巻かれたエンティティを備えることを特徴とする請求項８に記載の装置。
【請求項１０】
前記強磁性金属で作成された中間構成要素は、いくつかの場所で自体で電気接触している強磁性金属導体のエンティティを備えることを特徴とする請求項９に記載の装置。
【請求項１１】
前記使用される金属導体の直径は〜０．９ｍｍであることを特徴とする請求項９から１０のいずれか一項に記載の装置。
【請求項１２】
前記強磁性金属で作成される中間構成要素は、収容された強磁性金属粉を含むことを特徴とする請求項８に記載の装置。
【請求項１３】
前記強磁性金属で作成される中間構成要素は、外部エネルギで加熱されるように構成されることを特徴とする請求項８に記載の装置。
【請求項１４】
前記中間構成要素の温度は〜５００−７００℃であるように構成されることを特徴とする請求項１３に記載の装置。
【請求項１５】
前記使用される強磁性金属は、鉄、ニッケル、コバルト又はこれらのうちの一つを含む組み合わせであることを特徴とする請求項８に記載の装置。
【請求項１６】
前記強磁性金属で作成される中間構成要素は、実際の使用の前に、２０Ｈｚと３−５Ａの大きさの交流電流で前処理されるようになっていることを特徴とする請求項９から１１のいずれか一項に記載の装置。
【請求項１７】
前記中間構成要素は、第一に前記中間構成要素を２０Ｈｚと３−５Ａの大きさの交流電流で処理するように交流電流を構成し、この間、前記中間構成要素の温度を外部エネルギによって３００−４００℃の大きさになるように構成する段階と、ついで、加熱せずに同様の交流電流処理を構成する段階と、最後に、電流を次第に０Ａに低減するように構成する段階という三つの段階で前処理されるようになっていることを特徴とする請求項１６に記載の装置。
【請求項１８】
前記前処理の各段階は約１時間続くことを特徴とする請求項１７に記載の装置。
【発明の詳細な説明】
【技術分野】
【０００１】
本発明は、オーディオ信号が金属導体の中の電子の動きによって送信される、可聴オーディオ信号の質を向上させる方法に関する。本発明はまた、オーディオ信号の音声再生を向上させるための装置構成にも関し、この装置構成は、オーディオアンプ、オーディオケーブル及びスピーカ要素を備える。
【背景技術】
【０００２】
オーディオシステムは主に、オーディオシステムに使用される個々の構成要素に関する開発研究により著しく進歩した。オーディオシステムのアンプ装置及びスピーカは、装置が可聴信号に導入する干渉と種々のタイプの歪みとを最小化するように設計される。これらの手段によって、音質向上が進歩した。
【０００３】
しかし、音声再生では依然として信号再生において所定の不正確さがある。元の状態と比較すると、オーディオ信号のすべての成分が送信されているわけではなく、精密に正確な時間に再生されているわけでもない。アンプ装置により、再生信号に種々のタイプの歪みとノイズとが生じ、デジタルシステムにおける信号量子化によりノイズが生じる。オーディオ信号成分は、平均的には正しい時間に再生されるかも知れないが、所定の量の変化や干渉が継続的に存在する。
【０００４】
本発明は、音声再生技術のハイエンド（ｈｉｇｈ−ｅｎｄ）の範囲の音声再生に関する。本発明の意図は、非常に自然でオリジナルに近い音声の再生を達成することである。知られているように、この技術分野では、現在の知識と測定技術とでは完全に説明できずまた測定することもできない要因が、音声再生の自然さと精度とに影響を与えていることが観察されている。周波数応答又は歪み測定などの通常の測定で、異なる音声再生装置に見出される音声再生のあらゆる差を説明できるわけではない。たとえば、従来の測定技術を使用して測定したときに装置又はアセンブリの音声再生が完全に同一であり、欠点のない測定値を有すると決定されたとしても、これらの音声の間に可聴的な差異を検出することは可能である。たとえば、測定に一般に使用されるフーリエ解析技術は複雑な信号の解析にはあまり適しておらず、特にたとえば音楽などで現れる、本質的に短期間の信号の場合には適していないことが知られている。
【０００５】
ハイエンドの装置を評価するとき、しばしば、人間の耳と聴覚とに依存して音声の自然さと質とを評価する。すなわち、音声再生に影響を与えるすべての物理現象を測定又は考慮する方法はまだ知られていないと考えられる。たとえば一般に、音声信号の位相に関し位相に影響を与える要因は、可聴音声信号の品質に影響を有すると考えられる。これらの要因が再生されたオーディオ信号に与える歪み効果を最小化する試みが行われている一つの領域は、オーディオアンプとスピーカとの間の中間ワイヤである。これは、主のアンプ装置を、可聴音声を生成するスピーカ装置に接続するために使用されるものである。非常に異なるタイプの機能的な設計を使用して、この部分的な構成要素の音質に与えられる影響を改善しようとしてきた。
【０００６】
スピーカの音声再生特性を改善しようとする一つの従来の手段は、使用する導体の断面を増大することである。導体の断面が増加するにしたがって導体のレジスタンスは低下する。このような解決法のうちの一つが国際特許出願ＷＯ００７７７９５号に提示されている。ここに提示された解決法では、いわゆる戻り導体の断面は、実際の信号導体と比べて所定の比率だけ大きい。特殊な断面を有する大きな導体を使用することは、説明されたケーブルの製造コストを上昇させる。
【０００７】
また、導体の断面の増加によりいわゆる表皮効果も減少する。表皮効果とは、送信される信号の周波数が高くなると、電流が導体の外層に集まることを指す。もちろんこのような表皮効果は導体のレジスタンスを増加させる。電流が導体の表面の層に集まると、別の望ましくない現象が生じる。時間の経過と共に機械的又は化学的な応力により導体の表面層の結晶構造が損なわれる。表面層が事実上破壊された領域が導体の表面に形成される。この結果、導体の表面層が形成するレジスタンスがさらに大きくなり、これは、特に弱い信号を送信しているときには音声再生システムの音質の劣化として検出できる。この現象を除去するために、参照の公開ＥＰ  ０３０６０６７  Ｂ１号に解決法が提示されている。ここでは、導体の金属は、一つの導体に撚り合わされた大量の特殊処理された絶縁カーボンファイバと置き換えられている。これによって表皮効果の形成と、上記の機械的及び化学的な破砕とを防ぐことができる。しかしこの方法で製造された導体は、金属を使用した従来の導体構成に比較すると非常に高価である。さらに、このような導体はプレカット形態でしか供給されない。
【０００８】
スピーカケーブルを検査する一つの方法は、これを特定のインピーダンスを有する送信ワイヤとして解釈することである。ケーブルの構造によりケーブルのインピーダンスレベルが決定される。特許出願ＵＫ２３２３２０６号は、一般に、音声周波数において、小さなインピーダンスを有する同軸ケーブル構造を使用することが望ましいことを示している。特許公開ＵＳ５３９３９３３号は、音声周波数で非常に小さいインピーダンスとなる幾何学的な構造と材質とのリボンタイプのケーブルを提示している。上記のケーブル構造は、音声周波数におけるインピーダンスがスピーカ要素のインピーダンスに近いケーブルを製造するために使用される。インピーダンスの一致を使用して、接合部におけるインピーダンス間の望ましくない反射現象を最小化する。しかしこれらの解決法では、製造コストの高い特殊ケーブルが必要である。
【０００９】
音声周波数で使用するケーブルの特性は、これらが含む反応性の構成要素によってもまた検査され得る。オーディオケーブルのキャパシタンス値とインダクタンス値とは、使用されるケーブルの幾何学的形状と材料とに基づいて決定される。ケーブルのレジスタンス、コンダクタンス、キャパシタンス及びインダクタンスにより、送信ワイヤの位相係数βが決定する。低周波数では、インダクタンス値が小さい場合、βは主にレジスタンスとキャパシタンスに依存する。位相係数は位相速度を決定し、位相速度は低周波数ではほぼ次式の通りである。
【００１０】
【数１】
2005510101.tif 000003
【００１１】
位相速度ｖｐは周波数（ｆ）に依存し、このため、送信される信号の種々の成分はケーブル内を異なる速度で進み、これによって信号の質が可聴的に劣化する。
【００１２】
音声周波数でのケーブルのこの周波数挙動を変える一つの可能性は、なんらかの手段でインダクタンスを大幅に増加させることである。特許公開ＵＳ４９２０２３３号は、ケーブルの絶縁部をフェライトなどの磁性材でカバーすることによってインダクタンスが増加された同軸ケーブルを提示している。その結果として、信号の位相速度が音声周波数におけるケーブルのインダクタンスとキャパシタンスとによって主に決定される程度に多量に、ケーブルのインダクタンスもまた増加する。
【００１３】
【数２】
2005510101.tif 000004
【００１４】
この手段によって位相速度はほぼ一定になり、送信される信号は歪まされない。
【００１５】
特許公開ＵＳ４８４３３５６号では、小さな磁性粒子を絶縁部に入れることによって同軸ケーブルのインダクタンスは増大される。
【００１６】
オーディオケーブルの送信特性は、オーディオケーブルに接続される電子デバイスによって修正され得る。ＥＰ特許０６４９２６８号は、別々の調節手段がオーディオケーブルの両端に接続された構成を提示する。スピーカケーブルは、特定の導体断面を実現すべく並列に接続された、非常に薄い個別に絶縁された充分な数の導体を含むリッツ導体によって具体化される。リッツ導体は表皮効果と、導体間の磁気結合とを減少させようとする。提示された解決法では、スピーカ端の調節手段は、数ＭＨｚの大きさという比較的高い共振周波数でアンプ−スピーカ回路の振動を防ごうとする。オーディオアンプ端の調節手段はケーブルの導体の電流の上昇レートλを所望のレートに調節する。実際の電流上昇レートに関する相関関係は次式の通りである。
【００１７】
【数３】
2005510101.tif 000005
【００１８】
この刊行物によれば、最適な音質を実現するにはλの値は０から３０μｓでなければならない。この刊行物では、ケーブルの導体と直列に接続された構成要素の調節可能なＬ値とＲ値とは０．１−１μＨと０−０．２Ωの大きさであり、その結果として、電流上昇レートλの最適な値が実現される。リッツ導体を使用するため、この解決法の製造コストは高い。さらに、調節手段は、さらにこの構成の製造コストを高くする別の構成要素をも含む。
【００１９】
通常の金属導体における電気信号は金属内を移動する自由電子によって送信される。電子などの移動する電荷は、常に周囲に磁場を生成する。導電体とこの導電体を囲む材料とは、磁場の生成されやすさもしくはされにくさに影響を与える。銅のような反磁性材は磁場の生成に抵抗するが、一般的に鉄などの強磁性材は導入される外部の磁場を強化する。したがって、銅の導体内を移動する変化する電流は周囲に磁場を生成し、これによって導体内に所定の大きさの電流と電圧位相差とが生じる。これが、送信されるオーディオ信号の成分の時間的な変化に寄与するものと考えられる。
【００２０】
特許公開ＵＳ５１０９１４０号で提示されている解決法では、絶縁された強磁性体層がオーディオケーブルの両方の導体の周りに配される。この目的は、磁場を強磁性体層の外側に生成させず、オーディオ信号のエネルギがこの外部の磁場の生成に消費されないようにするために、導体内に生成された磁場を加算し分離することである。この解決法は磁場から生じる信号の歪みを最小化すると考えられる。公開ＷＯ９７０４４６７号も、実際の導体を囲むフェライトを有し、電磁乱れから導体を保護するオーディオケーブルを提示している。
【００２１】
公開ＵＳ４８８５５５５号は、オーディオケーブルに接続される別の装置構成を提示している。この構成ではケーブルは、トロイドなどの強磁性材の構造によって囲まれる。この構造の目的は、ケーブルの電気特性を向上させ、ケーブル内に生成される望ましくない「反射」を構造の二次回路に強制的に送ることである。
【発明の開示】
【発明が解決しようとする課題】
【００２２】
本発明の目的は、既存の通常のオーディオケーブルと共に使用するのに適しており、先行技術の解決法と比べ簡単で安価に製造できる、新しいタイプの装置構成を説明することである。
【課題を解決するための手段】
【００２３】
本発明による可聴オーディオ信号の質を改善する方法は、本発明の請求項１で提示されるものによって特徴づけられる。
【００２４】
本発明の目的は、請求項２による装置構成を使用して達成される。
【００２５】
本発明による装置構成は、本発明の請求項２で提示されるものによって特徴づけられる。
【００２６】
本発明の所定の好ましい実施形態は従属項で提示される。
【００２７】
本発明の基本的な原理は次の通りである。導体内を移動するオーディオ信号が磁場に伝えられる。これは音質に有利な効果を有することが観察されている。この磁場は、鉄などの強磁性材で作成された中間構成要素又はコイルを介して信号を伝えることによって導体内を移動する信号によって生成された電流によって生成される。その結果として、強力で均一な磁場が生成される。この磁場では、オーディオ信号における歪みに有利な影響を与え、歪みを減少させる現象が起きる。強磁性体の中間構成要素が外部エネルギで加熱された時にも、同じ現象の発生が観察された。装置構成は、この推定を支持する多数のリスニングテストを使用してテストされている。これらのテストから得られた結果と印象とは、多くの国際公開公報で説明されているケーブル構造などの、先行の特殊構造を使用して達成された結果及び印象に非常によく一致するものであった。
【００２８】
本発明による装置構成は、本発明の種々の実施形態で鉄などの強磁性金属又はコイルを使用したときだけ、オーディオ信号に有利な効果を有することが実験的に観察されたので、オーディオ信号の質に与える影響は磁場に基づくものと仮定する充分な根拠がある。この磁場は、本発明による装置構成では、強磁性金属又はコイルにおいて移動する電気信号の結果として強磁性体金属又はコイルにおいて生成される。この結果生じる磁場はさらに、金属内を移動する信号の流れに有利な影響を与える。同様の現象は、本発明の技術の周囲にある上記の刊行物で使用される可能性が最も高い。
【００２９】
本発明の利点は、本発明が、音の幅、リズムの再生、ソリストの再生、分解能など、可聴オーディオ信号の質を改善するために使用できるということである。
【００３０】
本発明の別の利点は、本発明が既存のオーディオシステムの一部として具体化できるということである。
【００３１】
本発明のさらに別の利点は、本発明の具体化が高価なオーディオケーブルや別の電子デバイスを必要としないということである。
【００３２】
本発明を、付随する図面を参照しながら次に詳細に説明する。
【発明を実施するための最良の形態】
【００３３】
本発明の基本原理は、導体内でオーディオ信号を送信する電子の流れを、このオーディオ信号に従って変わる磁場に運ぶことである。好ましくは強磁性材又はコイルを使用することによって、磁場は可能な限り強く生成される。図１に示す好ましい実施形態では、この磁場はコイル１２で生成される。図１は、巻きコイル１２の断面を示す。この巻きコイルは好ましくは軟鉄で作成される金属芯１０と、この金属芯を囲み、断面が参照番号１１ａと１１ｂで示される、好ましくはプラスチック又はボール紙などの絶縁材で作成されるコイル本体と、第一の端１３ａがコイル本体に対して巻線１２の最も内側の層にあり第二の端１３ｂが巻線１２の最も外側の層にある導体巻線とを備える。コイル芯１０は好ましくは円形の形状であり、その結果としてコイル芯の周りに巻かれたコイルも好ましくは円形の形状である。コイル導体の材料は金属であり、好ましくは、銅、アルミニウム、鉄、ニッケル、コバルト又はこれらの合金のうちの一つである。より好ましくは鉄、ニッケル、コバルト又はこれらのうちの一つを含む組み合わせなどの強磁性金属である。
【００３４】
本発明によってオーディオ信号の再生を改善する、図１に示された構造的な原理に従って具体化される一つの装置は、次のような機械的な構造及び大きさを有する。コイル芯１０は鉄でできており長さは５０ｍｍで直径は６ｍｍである。コイル芯はナイロン（ＰＡ）で作成されたコイル本体でカバーされており、この断面を参照番号１１ａ、１１ｂで示す。実際の巻線１２は、直径〜１ｍｍの鉄線をもって巻かれる。コイル１２におけるワイヤの巻きの数は好ましくは〜２００である。選択された設計により、コイル内に強い磁場が生成される。
【００３５】
所定のタイプのスピーカは、同期化現象を生成するためにより強い磁場を必要とする。これは、図２に提示された例としての設計を有利に使用することによって可能になる。この設計では、本発明による装置の鉄芯２０は、二つの閉じた磁場２０ａと２０ｂとを生成する。またこの実施形態では、コイル２２は好ましくは別のコイル本体の周囲にまきつけられ、この断面を参照番号２１ａと２１ｂとで示す。導体巻線は、導体巻線の第一の端２３ａがコイル本体に対して巻線２２の最も内側の層になり、第二の端２３ｂが巻線２２の最も外側の層になるように巻かれる。閉磁路２０ａと２０ｂとは、形成されたコイル２２が生成する磁場を強化する。鉄線がコイル線として使用される場合、鉄芯の有効な大きさは増大される。
【００３６】
図３は、本発明の第三の例としての好ましい実施形態を示す。図３に提示された実施形態では、オーディオケーブルの信号導体は、鉄芯３０の周りに巻かれる。信号は第一の端３３ａで本発明によるコイル３２に入り、第二の端３３ｂでコイル３２から出る。導体によって形成されるコイル３２は、鉄芯３０の周囲の一つ又は複数の巻きを含んでいてもよい。
【００３７】
図４ａは、本発明による装置構成に属する、本発明による手段がオーディオケーブルに接続される方法を例示的に示す。信号はオーディオアンプ４１の正の出力から、オーディオケーブルの導体４３に送られる。図４ａに示された例としての実施形態ではコイル４２ａである本発明による手段は、信号導体４３と直列に接続される。オーディオアンプからの信号導体４３は、コイル４２ａの第一の端に接続される。コイル４２ａは好ましくは、図１、図２及び図３に提示した設計のうちの一つにしたがって具体化される。装置が図３に提示した構造にしたがって具体化される場合、オーディオケーブルの正の信号導体４３は軟鉄芯の周囲に巻かれる。オーディオケーブルの接地導体又は戻り導体４５は、本発明による手段には接続されない。信号導体はコイル４２ａの第二の端から、先行技術のスピーカ要素４４に接続される。
【００３８】
ここで使用される「スピーカ要素」という用語は当分野で知られた任意の種類のスピーカを指し、帯域分割フィルタなどの別の構成要素をも含んでいてもよい。
【００３９】
図２による装置構成はコイル２２において大きすぎるインダクタンスを生成する可能性がある。インダクタンスは、図４ｂによる方法を使用して低減できる。ここではコイル全体４２は、第一のコイル４２ｂと第二のコイル４２ｃという二つの反対の方向で巻かれた二つのコイルを含み、この方法で、コイル全体４２のインダクタンスを所望のレベルに低減する。コイル４２ｂも４２ｃも好ましくは同じコイル芯の周りに巻かれる。図４ｂに提示された実施形態では、信号導体４３はオーディオアンプ４１の正の出力に接続される。信号導体４３の第二の端は本発明による第一のコイル４２ｂの第一の端に接続される。第一のコイル４２ｂの第二の端の後に分岐点４６があり、ここから導体の第一の分岐がスピーカ要素４４に接続され、導体の第二の分岐が第二のコイル４２ｃの第一の端に接続される。第二のコイル４２ｃの第二の端から出る導体の分岐は戻り／接地導体に接続される。第二のコイル４２ｃの巻きの方向は好ましくは、第一のコイル４２ｂの巻きの方向と反対である。さらに、第一のコイル４２ｂと第二のコイル４２ｃとの巻きの比は、好ましくは１：１から１：３の大きさなど、小さく維持されるべきである。
【００４０】
図５ａと図５ｂとに提示される第四の好ましい実施形態では、磁場は鉄などの強磁性の金属線が巻かれた構成要素によって生成される。図５ａは巻かれた要素５６の断面を提示する。要素５６は、好ましくはプラスチック又はボール紙などの断熱材で作成された空芯本体５４、及び好ましくは清浄な面を有した絶縁されない鉄線で作成された導体巻線５３を備える。導体巻線５３は好ましくは、鉄線５１と５２との２本の絡み合った清浄ならせんを含む。導体の第一の端５５ａはコイル本体に対して巻線５３の最も内側の層にあり、導体の第二の端５５ｂは巻線の最も外側の層にある。コイル本体５４は好ましくは円形の形状であり、その結果として、この周りに巻かれたコイルも好ましくは円形の形状である。図５ｂは、巻かれた構成要素５６の側面を示す。
【００４１】
本発明によってオーディオ信号再生を改善する、図５ｂに示す構造原理に従って具体化される一つの装置は、次の機械的な構造と寸法とを有する。コイル本体５４はプラスチックで作成され、長さは２００ｍｍで直径は２０ｍｍである。実際の巻線は直径が〜０．９ｍｍの清浄に磨かれた鉄線で作成され、この二つの撚り線がまず絡み合わされる。この結果できる二重らせん構造はコイル本体の周りに巻かれる。実施においては、合計で２００ｇの鉄線が使用される。巻線のレジスタンスは１Ω未満である。鉄線の太さが重要であり、０．９ｍｍワイヤを使用すると好ましいという観察が得られている。さらに、コイルを数時間に渡って交流電流で処理すると（電流〜３−５Ａ、電流〜２０Ｈｚ）、本発明によって装置の音声再生に与えられる効果が設置直後に開始する。これ以外では本構成が良好な音声再生を達成するためには所定期間にわたって通常に使用することが必要になる。
【００４２】
一つの好ましい実施形態では、前処理はいくつかの段階で行われる。第一にコイルを１時間に渡って交流電流で処理し（電流〜３−５Ａ、電流周波数〜２０Ｈｚ）、この間、コイルを外部の放射熱によって〜３００−４００℃の温度に加熱する。ついで、交流電流処理を加熱なしに１時間に渡って継続し、最後に、電流を次第に０Ａに低下させつつ交流電流処理を１時間に渡って継続する。
【００４３】
図６は、本発明の第五の好ましい実施形態の例を提示する。図６に提示された実施形態では、鉄粉６２を筐体６０の中に詰め込む。筐体は、第一の端６４と第二の端６５という二つの端を有する。入力導体６１は筐体の第一の端６４に接続され、出力導体６３はオーディオ信号のために筐体の第二の端６５に接続される。導体は電極６６と６７とによって筐体内の鉄粉６２と電気接触している。信号は導体６１を介して第一の端６４で本発明による装置６８に入り、導体６３を介して装置の第二の端６５から出る。
【００４４】
図７は、本発明の第六の好ましい実施形態の例を提示する。入力導体６１と出力導体６３とは、強磁性材で作成された中間構成要素７２に接続され、中間構成要素は、外部のエネルギ源７０から中間構成要素７２にエネルギを伝えることによって、外部のエネルギ７４によって加熱される。一つの例としての実施形態では、中間構成要素は使用中、外部の熱放射によって〜５００−７００℃の温度に加熱される。
【００４５】
図８は、本発明による装置構成に属する本発明による手段がオーディオケーブルに接続される方法の例を示す。信号はオーディオアンプ８０の正の出力からオーディオケーブルの導体８１に送られる。図８の例示的な実施形態では鉄線で作成されたコイルか鉄粉を含む筐体であってもよい本発明による手段８２は、信号導体８１と直列で接続される。コイルは好ましくは図５に提示した構造にしたがって具体化し、鉄粉を含む手段は好ましくは図６に提示した構造にしたがって具体化される。外部エネルギを使用するとき、図７に提示する構成を使用して手段８２を加熱する。オーディオケーブルの接地導体又は戻り導体８４は、本発明による手段には接続されない。信号導体は好ましくは、手段８２の第二の端から、先行技術によるスピーカ要素８３に接続される。
【００４６】
本発明による、ある好ましい実施形態を上記に説明した。本発明の概念は、付随する請求項が許容する範囲で多くの方法に応用できる。
【図面の簡単な説明】
【００４７】
【図１】本発明の好ましい実施形態を示す図である。
【図２】本発明の第二の好ましい実施形態を示す図である。
【図３】本発明の第三の好ましい実施形態を示す図である。
【図４ａ】本発明の装置をオーディオシステムに接続する例を示す図である。
【図４ｂ】本発明の装置をオーディオシステムに接続する第二の例を示す図である。
【図５ａ】本発明の第四の好ましい実施形態の断面図である。
【図５ｂ】本発明の同じく第四の好ましい実施形態の側面図である。
【図６】本発明の第五の好ましい実施形態を示す図である。
【図７】本発明の第六の好ましい実施形態を示す図である。
【図８】本発明の装置をオーディオシステムに接続する例を示す図である。
【図１】
2005510101.tif 000006
【図２】
2005510101.tif 000007
【図３】
2005510101.tif 000008
【図４ａ】
2005510101.tif 000009
【図４ｂ】
2005510101.tif 000010
【図５ａ】
2005510101.tif 000011
【図５ｂ】
2005510101.tif 000012
【図６】
2005510101.tif 000013
【図７】
2005510101.tif 000014
【図８】
2005510101.tif 000015
【国際調査報告】
2005510101.tif 000016
2005510101.tif 000017
2005510101.tif 000018